(57)【要約】      （修正有）【課題】記録磁界強度を確保しつつ、スキュー角がプラス側とマイナス側の両極のいずれに付与されてもサイドイレーズの問題を回避可能な磁気ヘッド構造を実現させる。【解決手段】ライトヘッド部の主磁極先端の平面形状を片テーパー形状にして、その主磁極をスライダの長手方向に対して、少なくとも2つ以上線対称状に配置する。この時、主磁極を励磁させる薄膜コイルは、それぞれの主磁極に対して付与させる。また、主磁極先端の平面の片テーパー形状は、リーディングエッジ側からトレーリングエッジ側へ向けて幅が広がる形状に加工する。スキュー角がプラス側となる領域においては、記録再生媒体の内周方向へ向けて主磁極先端の平面がテーパー形状となる様に配置された第1主磁極で記録を行い、マイナスとなる領域においては、記録再生媒体の外周方向へ向けてテーパー形状となる様に配置された第2主磁極で記録を行う。【選択図】 図１３
2008234772.tif 000002
【特許請求の範囲】
【請求項１】
記録再生媒体側に対向する先端の平面形状が片テーパー形状であり、スライダの長手方向に対して線対称状に少なくとも2つ以上配置される主磁極と、
主磁極から発生される記録磁界を戻すリターンヨークと、
個々の主磁極に対して付与される薄膜コイルと、
を有することを特徴とした磁気ヘッド。
【請求項２】
主磁極先端の平面の片テーパー形状は、記録再生媒体に対する磁気ヘッドの相対的な進行方向となるリーディングエッジ側からトレーリングエッジ側へ向けて主磁極の幅が広がる形状であることを特徴とした請求項1記載の磁気ヘッド。
【請求項３】
少なくとも2つ以上の配置される主磁極において、隣接する主磁極の間には、軟磁性体からなる磁気シールドが形成されることを特徴とする請求項1記載の磁気ヘッド。
【請求項４】
記録再生媒体側に対向する先端の平面形状が片テーパー形状であり、スライダの長手方向に対して線対称状に少なくとも2つ以上配置される主磁極と、主磁極から発生される記録磁界を戻すリターンヨークと、個々の主磁極に対して付与される薄膜コイルを有する磁気ヘッドと、
記録再生媒体を備えたことを特徴とする磁気ディスク装置。
【請求項５】
主磁極先端の平面の片テーパー形状は、記録再生媒体に対する磁気ヘッドの相対的な進行方向となるリーディングエッジ側からトレーリングエッジ側へ向けて主磁極の幅が広がる形状であることを特徴とした請求項4記載の磁気ディスク装置。
【請求項６】
記録再生媒体上で磁気ヘッドのスキュー角が0度となる点を基点とし、基点より内周側においては、記録再生媒体の内周方向へ向けて主磁極先端の平面がテーパー形状となる様に配置された第1主磁極で記録を行い、基点より外周側においては、記録再生媒体の外周方向へ向けて主磁極の平面がテーパー形状となる様に配置された第2主磁極で記録を行うことを特徴とした請求項5記載の磁気ディスク装置。
【請求項７】
記録再生媒体のシリンダアドレスと磁気ヘッドのヘッドアドレスに応じて、2つ以上配置される磁気ヘッドの主磁極に対して、使用する主磁極を選択して記録を指示することを特徴とする磁気ヘッド切替制御回路。
【発明の詳細な説明】
【技術分野】
【０００１】
記録磁界強度を犠牲にすることなく、サイドイレーズを抑制させることが可能な垂直磁気記録方式用の磁気ヘッドおよび、それを用いた磁気ディスク装置。
【背景技術】
【０００２】
近年、ストレージ技術の発達に伴い、HDD（ハード・ディスク・ドライブ）を始めとする磁気ディスク装置は、従来の用途であるパーソナルコンピューターやサーバー等の外部記録装置以外にも、ビデオレコーダーを始めとし、ポータブルミュージックプレーヤーやカーナビゲーションシステム、ゲーム機器、携帯電話等、様々な用途に使用されており、今後においても更なる高記録密度化が要求されている。この様な状況の中、高記録密度化のニーズを実現させる技術として、垂直磁気記録方式の採用が始まっている。
ここで従来から用いられている磁気ディスク装置の面内磁気記録方式と垂直磁気記録方式における記録再生媒体と磁気ヘッドの特徴について比較説明する。
まず、記録再生媒体について比較説明する。面内磁気記録方式の場合、記録ビットは、隣接する記録ビットと反発し合う方向へ磁化される為、高記録密度化に伴う記録ビット体積の縮小による熱揺らぎ耐性の劣化が懸念される。一方、垂直磁気記録方式の場合、記録ビットは、隣接する記録ビットと安定する方向へと磁化される為、熱揺らぎ耐性の確保に対して有効な記録方式となる。
また、垂直磁気記録方式の場合、記録層の下層側に、裏打ち層と称される軟磁性層を形成することで、磁気ヘッドから発生される記録磁界を急峻に記録再生媒体側に引き込むことが可能となり、面内磁気記録方式用の磁気ヘッドと比較して、実効的な記録磁界強度を約1.5〜2倍程度まで増幅させることが出来る。この為、記録再生媒体の記録層に、高い保磁力を付与させることが可能となり、記録層の低ノイズ性と熱揺らぎ耐性を確保させることが可能となる。
次に、磁気ヘッドについて比較説明する。磁気ヘッドとは、記録再生媒体に記録磁界を印加し、再生信号の記録を行うライトヘッド部と、記録再生媒体からの再生信号を検出するリードヘッド部の2つの機構の総称であるが、リードヘッド部は、面内磁気記録方式と垂直磁気記録方式とで機構に大きな差異は無く、再生信号以外からの不要な信号（磁界）を吸収する役割を果たす上下の磁気シールド層の層間に、GMR(Giant Magneto Resistance)またはTuMR（Tunneling Magneto Resistance）素子を配置し、磁気抵抗効果を用いて再生信号を検出している。
一方でライトヘッド部は、面内磁気記録方式と垂直磁気記録方式では機構が大きく異なる。面内磁気記録方式は、ギャップを有するリング型ヘッドを用いて、ギャップから面内（長手）方向に記録磁界を印加して記録することに対して、垂直磁気記録方式は、記録再生媒体に対して垂直に配置された主磁極と、主磁極から垂直方向に印加される記録磁界を、記録再生媒体の裏打ち層を介して還流させて磁気回路を形成させる為のリターンヨーク（補助磁極）からなる単磁極型ヘッドを用いて記録する。
現在、垂直磁気記録方式のライトヘッド部の性能を向上させる為に、リターンヨークの形状を改良したトレーリングシールド型ヘッドやコイル形状を改良したカスプコイル型等が提案されているので以下に説明する。
例えば、非特許文献1に示すトレーリングシールド型ヘッドは、例えばNi-Fe基合金からなる軟磁性体をリターンヨークに主磁極側へ向かって張り出す様に形成されたことを特徴とし、主磁極から記録再生媒体に対して発生される不要な記録磁界を吸収することにより、記録磁界勾配を鋭くする役割を果たす。
例えば、非特許文献2に示すカスプコイル型ヘッドは、主磁極に対してトレーリング側とリーディング側の双方に、主磁極を挟み込む形で薄膜コイルとリターンヨークを配置することを特徴とする。この様なヘッド構造をとることにより、効率的に主磁極を励磁することが可能となり、主磁極の記録磁界強度を増幅することが可能となる。
【非特許文献１】FUJITSU, vol.56, no.4, pp.286-291, 2005
【非特許文献２】IEEE Trans. Magn., vol.36, no.5, pp.2520-2523, 2000
【発明の開示】
【発明が解決しようとする課題】
【０００３】
上述の様に、垂直磁気記録方式は、記録再生媒体ならびに磁気ヘッドともに面内磁気記録方式に比較して、磁気ディスク装置の高記録密度化に対する優位性を有する。しかし、垂直磁気記録方式の磁気ヘッドのライトヘッド部は、主磁極先端の平面形状に、幾何学的な問題を有するので以下に説明する。
図1には、磁気ディスク装置の1つであるHDDの内部概略構造を示す。 一般的に、HDDは、磁気ヘッドを記録再生媒体上の所望の記録トラック位置に移動させる方法として、図2に示すロータリーアクチュエーター21を用いている。この為、サスペンション22にスライダと共に搭載される磁気ヘッド23のスキュー角24は、通常プラス側とマイナス側にそれぞれ15°程度付与されることになる。なお、スキュー角は、記録再生媒体と磁気ヘッドの間に生成される空気流が、磁気ヘッドの外周側リーディングエッジに入り、最内周側トレーリングエッジから出て行く場合をプラス側と定義される。つまり、磁気ヘッドが記録再生媒体の内周側の記録トラック25に存在する場合は、スキュー角はプラス側に付与され、記録再生媒体の外周側の記録トラック26に存在する場合はマイナス側に付与されることになる。
図3はライトヘッド部の従来の主磁極の先端部分の斜視図であり、主磁極の平面形状は長方形である。図4は、図3の主磁極が記録再生媒体上の記録トラックを追従している様子を示す図である。図4において、ライトヘッド部の主磁極31の先端の平面形状32は、スライダの長手方向を長辺とする長方形の形をしているが、スキュー角が付与されると内周側の記録トラック25および外周側の記録トラック26の進行方向34に対して、ある角度に傾くことなる。これにより、主磁極先端の平面の一部が、幾何学的に記録トラックからはみ出す為領域、すなわち隣接するトラックの記録信号やサーボ信号を消去してしまうサイドイレーズ発生領域33が発生する問題が生じる。
この問題に対しては、 FIB（Focused Ion Beam）加工や、めっき加工を用いて、主磁極先端の平面形状を台形状の両テーパー形状、あるいは片テーパー形状にすることで、スキュー角が付与された時に隣接するトラックに対して、幾何学的に影響を与えにくくする方法が提唱されている（例えば、特許文献1を参照）。
しかし、一般的に記録磁界強度は、主磁極先端の面積に比例する為、テーパー形状に加工すると、面積が小さくなり、記録磁界強度を低下させてしまうという問題が発生する。この場合、記録再生媒体の記録層を十分に磁化出来なくなり、信号品質の劣化を招く恐れがある。
図5は、片テーパー形状を有する主磁極の先端部分の斜視図である。図6は、図5の主磁極が記録再生媒体上の記録トラックを追従している様子を示す図である。記録磁界強度を保持させる為に、図6に示す様に、主磁極先端の平面形状41を片テーパー形状にした場合は、スキュー角がプラス側かマイナス側のいずれかの極性のみでしか、サイドイレーズの問題を抑制することが出来ない。また、図7は、両テーパー形状を有する主磁極の先端部分の斜視図である。図8は、図7の主磁極が記録再生媒体上の記録トラックを追従している様子を示す図である。図8に示す様に、平面形状51を両テーパー形状にした場合は、プラス側とマイナス側の両極のスキュー角に対してサイドイレーズの問題を回避することが出来るが、主磁極先端の面積が小さくなり過ぎる為、記録磁界強度が著しく低下する問題が発生する。
上述の様に、磁気ヘッドのスキュー角の付与に対するサイドイレーズの抑制と、記録磁界強度の確保はトレードオフの関係となり、両者の両立は困難である。なお、この問題は、トラック密度が上がるほど、すなわち磁気ディスク装置が高密度記録になる程、影響が大きくなる。
本発明では、記録磁界強度を確保しつつ、スキュー角がプラス側とマイナス側の両極のいずれに付与されてもサイドイレーズの問題を回避することが可能な磁気ヘッド構造を実現させる。
【特許文献１】特開2004-94997号公報
【課題を解決するための手段】
【０００４】
1つのスライダ上に少なくとも１つのリードヘッド部とリターンヨークを有する垂直磁気記録方式用の磁気ヘッドにおいて、ライトヘッド部の主磁極先端の平面形状を片テーパー形状にして、その主磁極を記録トラックに対して、少なくとも2つ以上線対称状に配置する。この時、主磁極を励磁させる薄膜コイルは、それぞれの主磁極に対して付与させる。ここで、図9は、本発明の主磁極の構造の一部の斜視図である。主磁極先端の平面の片テーパー形状は、記録再生媒体に対する磁気ヘッドの相対的な進行方向となるリーディング側62からトレーリング側63へ向けて主磁極の幅が広がる形状に加工する。
図10は、図9の主磁極が記録再生媒体上の記録トラックを追従している様子を示す図である。図10に示される様に、記録再生媒体の内周側でプラス側となるスキュー角領域においては、記録再生媒体の内周方向68へ向けて主磁極先端の平面がテーパー形状となる様に配置された第1の主磁極64で記録磁界を発生させて所定の記録トラック上にて記録を行う。この場合、第1の主磁極の平面61は内周側の記録トラック25内に収まる為、サイドイレーズの発生領域を無くすことが出来る。記録再生媒体の外周側でマイナスとなるスキュー角領域においては、記録再生媒体の外周方向69へ向けて主磁極の平面がテーパー形状となる様に配置された第2の主磁極65で記録を行う。第2の主磁極の平面67は外周側の記録トラック26内に収まる為、サイドイレーズの発生領域を無くすことが出来る。 また、スキュー角が0度となる領域においては、第1の主磁極64、第2の主磁極65の双方において、記録トラック26内に収まるので任意の主磁極で記録することが出来る。なお、2つの主磁極の磁気的な相互作用を考慮して、2つの主磁極間に主磁極間磁気シールド66を形成しても良い。
【発明の効果】
【０００５】
記録トラックに対して線対称状に配置される少なくとも2つの片テーパー形状の主磁極を、スキュー角の極性(記録再生媒体の半径位置)に応じて使い分けることで、磁気ディスク装置の高記録密度化によりトラック密度が高くなる場合においても、十分な記録磁界強度を確保しながら、サイドイレーズを抑制することが可能となる。なお、本発明は上述のトレーリングシールド型ヘッドやカスプコイル型ヘッド等の様々な形状の磁気ヘッドへの適用が容易に可能である利点を有する。
【発明を実施するための最良の形態】
【０００６】
以下、本発明の実施形態を、図11ないし図14に基づいて説明する。なお、以下に説明する各層の形成手法は、一般的なスパッタリング法、めっき法等を用いており、各層を所望の形状に加工する手法は、レジスト膜とリソグラフィー技術を用いたパターンニング法等を用いて実施出来るものであることから、形成プロセスの詳細な説明は省略する。
図11は、本発明の実施の形態に係るスライダに搭載される磁気ヘッドの断面図である。まず、図11において図示しないが、厚さ2 mm程度のAl2O3-Ti-Cからなるアルミナ・チタンカーバイト層上に、絶縁層としてスパッタリング法にてAl2O3からなるアルミナ層を2.0 μmの厚さで形成する。次に絶縁層の上に、Ni-Fe等の軟磁性体からなる下部磁気シールド71(a)を、めっき法を用いて形成する。次に、図示しないが、スパッタリング法を用いて下部磁気シールド71(a)側のファーストリードギャップとしてアルミナ層を0.6 μmの厚さで形成する。次に、一般的な構造のGMRまたはTuMRの再生素子72を記録再生媒体側70の近傍に配置される様に形成する。また、図示しないが、再生素子72に電気的に接続される一対の電極層も合わせて形成する。次に、図示しないがスパッタリング法を用いて、上部磁気シールド71(b)側のセカンドリードギャップとしてアルミナ層を0.6 μmの厚さで形成させる。次に、下部磁気シールド71(a)と同様に軟磁性体からなる上部磁気シールド71(b)を形成する。
なお、図12は、本発明の実施の形態に係る磁気ヘッドを浮上面側から見た図となる。ここで、再生素子72の取り付け位置は、記録信号の読み出し時にリードヘッド部とライトヘッド部のオフセット量を補正することで、記録トラックに対する磁気ヘッドの位置決めが可能な為、どの位置に取り付けても良いが、ここでは、上下の磁気シールド71(a)、71(b)の中心付近の位置となる様に取り付けた。ここまでの作製工程がリードヘッド部となり、GMRまたは、TuMRの再生素子72は絶縁層を介して上下の磁気シールド71(a)、71(b)で挟まれた構造となる。
以下、ライトヘッド部の形成方法について説明する。まず、図11の上部磁気シールド71(b)の上に図示しないが、アルミナ層を0.3 μmの厚さで形成する。次に、Ni-Fe等の軟磁性体からなるライトヘッドの磁気シールド73を、めっき法を用いて形成する。次に第１、第2主磁極64、65を支える太らし層74、接合部76、薄膜コイル77、リターンヨーク78をめっき法にて形成する。ここで、主磁極の材料としては、Ni-Fe、Co-Fe、Co-Fe-B基合金等より選択することが出来る。なお、図示しないが、主磁極、接合部76、薄膜コイル77、リターンヨーク78間の空白部分は、スパッタリング法、またはめっき法を用いてアルミナ層にて充填させる。なお、磁界勾配を急峻にさせることを目的としたNi-Fe等の軟磁性体からなる層75を形成し、トレーリング型シールド型ヘッドとした。ここで、本発明は、主磁極を2つ有する為、図12において、Ni-Fe等の軟磁性体からなる主磁極間磁気シールド66を介して、左右対称にライトヘッド部の各層を形成する。なお、第１主磁極64と第2主磁極65間の空間部分は、スパッタ法、またはめっき法を用いてアルミナ層にて充填させる。
なお、図12において、2つの主磁極平面61、67の中心間距離81は100 nmとしたが、これよりも長い距離の場合は、主磁極間磁気シールド66は形成しなくても2つの主磁極間の磁気的相互作用は殆ど無くなる為、主磁極間磁気シールド66は形成しなくとも問題はないが、再生素子72と主磁極部が離れすぎると、記録トラックに対する磁気ヘッドの位置決めの為のオフセット量が大きくなり過ぎる為、磁気ディスク装置の装置設計上好ましくない。
図13は、太らし層74、接合部76、薄膜コイル77、第１主磁極64と第2主磁極65、主磁極間磁気シールド66の位置関係を明確にした斜視図である。ここで、第１主磁極64ならびに第2主磁極65は、スライダの長手方向95に対して、線対称形となり、主磁極先端の平面の片テーパー形状は、記録再生媒体に対する磁気ヘッドの相対的な進行方向となるリーディング側62からトレーリング側63へ向けて主磁極の幅が広がる形状に加工する。なお、主磁極先端の平面の寸法ならびにテーパー角は、磁気ディスクに付与されるスキュー角の度合いとトラック密度により適宜に設計するものであるが、ここでは、上辺91を160 nm、テーパー角92を60°、高さ93を190 nm、下辺94を130 nmとした。
なお、本発明の実施形態の応用として、磁気ディスク装置の高記録密度化によりトラック密度が高くなった時のサイドイレーズを考慮し、テーパー角を変化させた主磁極を複数形成し、スキュー角に応じて各種磁極を使い分けることも可能である。この場合も付与されるスキュー角の度合いに応じて、テーパー角を設計すれば良い。つまり、スキュー角が大きく付与されるゾーンに対して、テーパー角が大きくなる様にすれば良い。また、図14には、カスプコイル型ヘッドの平面図を図示するが、本発明の実施形態においては、図13に示す通り、記録トラック方法に対して対称に2つの主磁極を形成すれば良いので、容易に適用が可能である。
本実施形態の構成によれば、第１主磁極64と第2主磁極65をスキュー角の極性に応じて使い分けることで、記録磁界強度を犠牲にすることなく、サイドイレーズの発生を抑制することが可能となる。
次に、本発明の磁気ヘッドを磁気ディスク装置にて使用する場合、2つの主磁極を付与されるスキュー角の極性によって、主磁極を選択的に使用する必要があるが、その制御方法について説明する。
図15は、本発明の磁気ヘッドを制御するブロック図である。なお、磁気ヘッドを磁気ディスク装置で実際に使用する為に、複数本の磁気ヘッドを制御するブロック図としている。ここでは、第1磁気ヘッド132と第2磁気ヘッド133の2本の磁気ヘッドを使用する方法を記述する。 なお、第1磁気ヘッド132と第2磁気ヘッド133には、それぞれ再生素子72、第1主磁極部64、第2主磁極部65が搭載される。ヘッドアンプIC部131には、図示しないがリードヘッド部に印加するバイアス電流源とライトヘッド部に印加するライト電流源が配置される。ここでリードの動作は、第1磁気ヘッド132または、第2磁気ヘッド133の再生素子72が、記録再生媒体からの再生信号をリードアンプ部127、130で増幅し、リードデータバッファ部124を経由し、リードライトチャネルLSI部121にデータを送信する通常のリード方式を用いる。
リードライトチャネルLSI部121は、図示しないがライトデータをコードして、ヘッドアンプIC部131に配置されるライトデータバッファ部123にライトデータを送信したり、リードデータバッファ部124から受信した、リードデータをデコードする機能を有している。また、磁気ディスク装置内に配置される複数面の記録再生媒体に対して、使用する磁気ヘッドを選択するヘッドアドレス制御部を有している。なお、リードライトチャネルLSI部121は、PRML(Partial  Response Maximum Likelihood)方式の信号処理回路部も有している。マイコン部120は、図示しないが、記録再生媒体の記録再生トラックのシリンダアドレス制御部を有している。また各インターフェースやLSI部の制御部も有している。
ここで、ヘッドアンプIC部131に配置される磁気ヘッド切替制御回路122は、マイコン部120から記録再生トラックのシリンダアドレス情報を入手し、リードライトチャネルLSI部121からは、ヘッドアドレス情報を入手する。磁気ヘッド切替制御回路122は、ヘッドアドレス情報から第1磁気ヘッド132と第2磁気ヘッド133のどちらを使用するか選択する。選択された磁気ヘッドは2つの主磁極を有するので、磁気ヘッド切替制御回路122は、シリンダアドレス情報から、記録を実施する記録再生トラックのスキュー角の極性を判断し、第1主磁極部64スキュー角プラス領域用ライトドライバ125、128または、第2主磁極部65を制御するスキュー角マイナス領域用ライトドライバ126、129どちらを使用するか選択することで、記録再生媒体への記録動作を実行する。
図16には、磁気ヘッド切替制御回路122が、ヘッドアドレス情報とシリンダアドレス情報から、使用するライトドライバを選択する図を示す。図16に示す通り、ヘッドアドレス情報とシリンダアドレス情報を磁気ヘッド切替制御回路122に入力することで、本発明の2つ以上の主磁極を有する複数の磁気ヘッドの制御が可能となる。
本発明は、以下の付記を含むものである。
(付記1)記録再生媒体側に対向する先端の平面形状が片テーパー形状であり、スライダの長手方向に対して線対称状に少なくとも2つ以上配置される主磁極と、主磁極から発生される記録磁界を戻すリターンヨークと、個々の主磁極に対して付与される薄膜コイルと、を有することを特徴とした磁気ヘッド。
(付記2)主磁極先端の平面の片テーパー形状は、記録再生媒体に対する磁気ヘッドの相対的な進行方向となるリーディングエッジ側からトレーリングエッジ側へ向けて主磁極の幅が広がる形状であることを特徴とした付記1記載の磁気ヘッド。
(付記3)少なくとも2つ以上の配置される主磁極において、隣接する主磁極の間には、軟磁性体からなる磁気シールドが形成されることを特徴とする付記1記載の磁気ヘッド。
(付記4)リターンヨークの先端に、軟磁性体を主磁極先端の近傍側へ狭いギャップを介して設置されるトレーリングシールド型ヘッドであることを特徴とした付記1記載の磁気ヘッド。
(付記5)少なくとも2層以上の薄膜コイルにより主磁極を上下から挟み込む形でコイルを形成することを特徴としたカスプコイル型ヘッドであることを特徴とした付記1記載の磁気ヘッド。
(付記6)記録再生媒体側に対向する先端の平面形状が片テーパー形状であり、スライダの長手方向に対して線対称状に少なくとも2つ以上配置される主磁極と、主磁極から発生される記録磁界を戻すリターンヨークと、個々の主磁極に対して付与される薄膜コイルを有する磁気ヘッドと、記録再生媒体を備えたことを特徴とする磁気ディスク装置。
(付記7)主磁極先端の平面の片テーパー形状は、記録再生媒体に対する磁気ヘッドの相対的な進行方向となるリーディングエッジ側からトレーリングエッジ側へ向けて主磁極の幅が広がる形状であることを特徴とした付記6記載の磁気ディスク装置。
(付記8)記録再生媒体上で磁気ヘッドのスキュー角が0度となる点を基点とし、基点より内周側においては、記録再生媒体の内周方向へ向けて主磁極先端の平面がテーパー形状となる様に配置された第1主磁極で記録を行い、基点より外周側においては、記録再生媒体の外周方向へ向けて主磁極の平面がテーパー形状となる様に配置された第2主磁極で記録を行うことを特徴とした付記7記載の磁気ディスク装置。
(付記9)スキュー角の極性に応じて、ヘッドアンプのライト電流制御部とライトデータバッファ部により、第1ならびに第2主磁極での記録を切り替えること特徴とした付記6記載の磁気ディスク装置。
(付記10) 記録再生媒体のシリンダアドレスと磁気ヘッドのヘッドアドレスに応じて、2つ以上配置される磁気ヘッドの主磁極に対して、使用する主磁極を選択して記録を指示することを特徴とする磁気ヘッド切替制御回路。
(付記11) 記録再生媒体のシリンダアドレスと磁気ヘッドのヘッドアドレスに応じて、2つ以上配置される磁気ヘッドの主磁極に対して、使用する主磁極を選択して記録を指示する磁気ヘッド切替制御回路を有することを特徴とした磁気ディスク装置。
【図面の簡単な説明】
【０００７】
【図１】本発明による磁気ヘッドが使用される磁気ディスク装置の1つであるHDDの内部を示す概略図である。
【図２】ロータリーアクチュエーター方式によるスキュー角が付与される様子を示す図である。
【図３】ライトヘッド部の従来の主磁極の先端部分の斜視図である。
【図４】長方形形状の主磁極が記録再生媒体上の記録トラックを追従している様子を示す図である。
【図５】片テーパー形状を有する主磁極の先端部分の斜視図である。
【図６】片テーパー形状を有する主磁極が記録再生媒体上の記録トラックを追従している様子を示す図である。
【図７】両テーパー形状を有する主磁極の先端部分の斜視図である。
【図８】両テーパー形状を有する主磁極が記録再生媒体上の記録トラックを追従している様子を示す図である。
【図９】本発明の主磁極の構造の一部の斜視図である。
【図１０】本発明の主磁極の形状を有する主磁極が記録再生媒体上の記録トラックを追従している様子を示す図である。
【図１１】本発明の磁気ヘッド形状の断面図である。
【図１２】本発明の磁気ヘッド形状の浮上面図である。
【図１３】本発明の磁気ヘッド形状の斜視図である。
【図１４】本発明の磁気ヘッドに適用することが出来るカスプコイル型磁気ヘッドの断面図である。
【図１５】本発明の磁気ヘッドを制御するブロック図である。
【図１６】磁気ヘッド切替制御回路が、ヘッドアドレス情報とシリンダアドレス情報から、使用するライトドライバを選択する図である。
【符号の説明】
【０００８】
61     第１主磁極平面
64     第１主磁極
65     第2主磁極
66     主磁極間磁気シールド
67     第2主磁極平面
77     薄膜コイル
【図１】
2008234772.tif 000003
【図２】
2008234772.tif 000004
【図３】
2008234772.tif 000005
【図４】
2008234772.tif 000006
【図５】
2008234772.tif 000007
【図６】
2008234772.tif 000008
【図７】
2008234772.tif 000009
【図８】
2008234772.tif 000010
【図９】
2008234772.tif 000011
【図１０】
2008234772.tif 000012
【図１１】
2008234772.tif 000013
【図１２】
2008234772.tif 000014
【図１３】
2008234772.tif 000015
【図１４】
2008234772.tif 000016
【図１５】
2008234772.tif 000017
【図１６】
2008234772.tif 000018